(57)【要約】【課題】本発明はロールテープをボックスの中でセンターを保持しながら回転させるもので、ロールテープの粘着面がボックス内壁に粘着する事無くス厶ーズに回転する事が出来る、ロールテープをセットする場合は開閉扉（６）を１８０度回動させ、大きく口を開き簡単にセットする事が可能である、セットされたロールテープは簡単に引き出し任意の長さにカットして使用する事が可能なロールテープ用ケース関するものである。【解決手段】右外壁（１）の中心に主軸（９）を設け、一方の開閉扉（６）の中心に支軸（１２）を設けてセンターを確定する、ロールテープをセットする場合は開閉扉（６）を１８０度回動して口を開く、その開口部より主軸（９）にロールテープを挿入する、開閉扉（６）を閉めると支軸（１２）がロールテープ内輪に嵌りセンターが保持される、ロールテープを引き出して使用する場合はテープ押さえ（２１）で押さえ、調節しながら引き出す為過剰に行き出されることはない、かつ又カッター（１５）は危険防止の為カッターカバー（１９）を設けてある。【選択図】  図１
2005059951.tif 000002
【特許請求の範囲】
【請求項１】
イ、右外壁（１）の中心に主軸（９）を設け主軸リング（１１）を挿入し、対する開閉扉（６）の中心にも支軸（１２）を設け支軸リング（１４）を挿入し、開閉扉（６）は上部に支点ピン（７）を設け下部には開閉扉ロック（８）を設ける。
ロ、前外壁（２）にはカッター台（１８）を設け、カッター（１５）をカッター押さえ（１６）で、カッター台（１８）に挟着固定する。
ハ、後外壁（３）には蓋（４）を蝶番にて連結し、内側にロールテープ押さえ（２１）を設け、かつ又背面には両端にカッターカバー支承爪片（２０）を備えた、カッターカバー（１９）を設ける。
以上の構成からなるロールテープ用ケース。
【発明の詳細な説明】
【発明の詳細な説明】
【技術分野】
【０００１】本発明は主軸（９）支軸（１２）を、右外壁（１）と開閉扉（６）の中心に確定しセンターを保持して回転するもので、ロールテープをセットする場合は、開閉扉（６）を１８０度回動させると大きく口が開くので、ロールテープを主軸（９）に差込み開閉扉（６）を閉めると、開閉扉（６）には支軸（１２）が設けて有るためロールテープはボックス内のセンターにセットされる、蓋（４）の内側にはロールテープ押さえ（２１）を設けテープを引き出す場合のストッパーとなす、かつ又カッター（１５）は両端にカッターカバー支承爪片（２０）を設けた、カッターカバー（１９）で覆い、更にその先端を若干曲げてある為安全に使用する事が出来る、ロールテープ用ケースに関するものである。
【背景技術】
【０００２】ロールテープを使用する場合は長柄、短柄にローラーを付けたものが一般に市販されており、これにセットして使用したり、又そのまま剥ぎ取って使用する場合がある、何れにしてもテープの切り口を剥がすのが容易では無い、最も面倒なこの課題が考慮されていない。
【発明が解決しようとする課題】
【０００３】ロールテープを転がして使用する器具は長柄、短柄にローラーを着けた商品が市販されているが、切り口を剥がす装置は無い外に方法が無い為、消費者は不便を感じながら使用している現状である、本発明は以上の欠点を解決する為になされたものである。
【課題を解決する為の手段】
【０００４】イ、主軸（９）を右外壁（１）の中心に主軸固定ねぢ（１０）にて取り付け、一方支軸（１２）は開閉扉（６）の中心に支軸固定ねぢ（１３）にて取り付け固定する、ロールテープをセットし開閉扉（６）を閉めると主軸（９）と支軸（１２）は一直線になりセンターが保持される、かつ又主軸リング（１１）と支軸リング（１４）はカッター（１５）とロールテープの位置を調整するものである
ロ、ロールテープをセットする場合は、開閉扉（６）を１８０度回動すると大きく口を開くので、この開口部よりロールテープを主軸（９）に挿入し、しかる後開閉扉（６）を閉める、かつ又開閉扉（６）は開閉扉ロック（８）によりロックされる。
ハ、前外壁（２）にはカッター台（１８）を設け、カッター（１５）をカッター押さえ（１６）にてカッター台（１８）に挟着固定されている、かつ又後外壁（３）には蝶番（５）により蓋（４）が連結されており、蓋（４）の内部にはロールテープ押さえ（２１）を設け、ロールテープを引き出す場合のストッパーの役目を果たしている、又カッター（１５）は危険防止の為、両端に支承爪片（２０）を設けたカッターカバー（１９）で覆い、カットする状態が目視出来るよう透視可能材質とした、以上の構成からなるロールテープ用ケース。
【発明を実施するための最良の形態】
【０００５】イ、本発明の実施の形態を述べる、先ず開閉扉（６）を上にしてボックスを立てる、蓋（４）をカッターカバー（１９）と共に開き、開閉扉（６）を１８０度回動すると大きく口が開く、その開口部に上部よりロールテープを主軸（９）に挿入する、しかる後、開閉扉（６）を閉めると開閉扉ロック（８）にてロックされる。
ロ、開閉扉（６）を閉めると開閉扉（６）に設けられた支軸（１２）が、ロールテープ内輪に嵌り、主軸（９）と支軸（１２）が一直線となりセンターが保持される、その為ロールテープの粘着面がボックス内壁に粘着する事無く、ロールテープの引き出しをスムーズに行う事が可能である。
ハ、前外壁（２）にはカッター台（１８）を設け、カッター（１５）をカッター押さえ（１６）にてカッター台（１８）に挟着固定されている。
ニ、後外壁（３）には蝶番（５）にて蓋（４）が連結されており、蓋（４）の内側にはロールテープ押さえ（２１）が設けられている、これは使用中ロールテープが過剰に引き出されるのを防止する為、この部分を上から押さえてストッパーの役目を果たすものである。
ホ、蓋（４）にはカッターカバー（１９）が取り付けられており蓋（４）と連動する、カッター（１５）がむき出しのままでは危険を伴う為、カッターカバー（１９）でカバーして安全を確保するものである、かつ又カッターカバー（１９）の両端には、カッターカバー支承爪片（２０）を設け、カッター（１５）とカッターカバー（１９）と若干の間隔をおき、ロールテープ粘着面がカッターカバーに粘着しないようにした、かつ又カッターカバー（１９）は透明材料を使い使用中ロールテープ切断の状況が目視出来るように構成した。
【発明の効果】
【０００６】じゅうたんやカーペットをロールテープで掃除する場合、ゴミが全面に付着すると剥ぎ取って新しい面を出すのだが、切り口が強力に粘着している為剥ぐのが容易ではない、そこで本作品を使用すると簡単に引き出しカットして使用する事が可能である、かつ又ロールテープのセットも簡単であり、カッター（１５）もカッターカバー（１９）で保護している為安全に使用する事が可能である。
【図面の簡単な説明】
【図１】  本発明の蓋（４）を開いた場合の斜視図
【図２】  本発明の蓋（４）を閉めた場合の斜視図
【図３】  本発明の使用中の斜視図
【図４】  本発明の右外壁（１）の正面図
【図５】  本発明の開閉扉（６）の正面図
【符号の説明】
１  右外壁
２  前外壁
３  後外壁
４  蓋
５  蝶番
６  開閉扉
７  開閉扉支点ピン
８  開閉扉ロック
９  主軸
１０  主軸固定ねじ
１１  主軸リング
１２  支軸
１３  支軸固定ねじ
１４  支軸リング
１５  カッター
１６  カッター押さえ
１７  カッター取り付けアルミ鋲
１８  カッター台
１９  カッターカバー
２０  カッターカバー支承爪片
２１  テープ押さえ
【図１】
2005059951.tif 000003
【図２】
2005059951.tif 000004
【図３】
2005059951.tif 000005
【図４】
2005059951.tif 000006
【図５】
2005059951.tif 000007